(57)【要約】【課題】使用者が操作したい操作ボタンを見つけやすくするために、必要な操作回数を低減し操作性を向上させる。【解決手段】液晶パネル３４と、液晶パネル３４に重ねて配置し透明電極３３を裏面に有する透明板３１とを有し、透明板３１を指で触れることで操作を行うタッチパネル表示部３８と、タッチパネル表示部３８を制御する制御手段とを備え、タッチパネル表示部３８は、予め設定された洗濯や乾燥の運転シーケンスを指定する複数のコースタッチボタン６５を有し、制御手段は、液晶パネル３４に複数のコースタッチボタン６５の中から抽出されたコースタッチボタン６５を表示するようにしたことにより、頻繁に使用するコース設定画面にすぐに移動でき、操作性が大きく向上する。【選択図】図９
2014033764.tif 000002
【特許請求の範囲】
【請求項１】
洗濯条件および設定ボタンを表示する液晶パネルと、前記液晶パネルに重ねて配置し透明電極を裏面に有する透明板とを有し、前記透明板を指で触れることで操作を行うタッチパネル表示部と、前記タッチパネル表示部を制御する制御手段とを備え、前記タッチパネル表示部は、予め設定された洗濯や乾燥の運転シーケンスを指定する複数のコースタッチボタンを有し、前記制御手段は、前記液晶パネルに前記複数のコースタッチボタンの中から抽出されたコースタッチボタンを表示するようにしたことを特徴とする洗濯機の操作表示装置。
【請求項２】
指定したコースタッチボタンの運転回数を記憶する記憶手段を備え、前記制御手段は、前記記憶手段に記憶された運転回数に応じて前記液晶パネルに表示するコースタッチボタンを抽出するようにした請求項１に記載の洗濯機の操作表示装置。
【請求項３】
前記制御手段は、使用者が、前記液晶パネルに表示するコースタッチボタンを抽出できるようにした請求項１に記載の洗濯機の操作表示装置。
【請求項４】
前記制御手段は、前記液晶パネルに前記複数のコースタッチボタンの中から抽出されたコースタッチボタンを３つ表示するようにした請求項１〜３のいずれか１項に記載の洗濯機の操作表示装置。
【請求項５】
前記制御手段は、洗濯機本体に電源が供給されると、前記液晶パネルに前記複数のコースタッチボタンの中から抽出されたコースタッチボタンを表示するようにした請求項１〜４のいずれか１項に記載の洗濯機の操作表示装置。
【発明の詳細な説明】
【技術分野】
【０００１】
本発明は、液晶ディスプレイを搭載した操作部を有する洗濯機の操作表示装置に関するものである。
【背景技術】
【０００２】
従来、この種の洗濯機の操作表示装置は図１０、図１１に示すような構成としている。（例えば特許文献１参照）。
【０００３】
図１０は、従来の洗濯機の操作表示装置の正面図を示すものであり、図１１は、同従来の洗濯機の操作表示装置の制御装置の正面図を示す。
【０００４】
図１０、図１１に示すように、操作表示パネル１は上面にシート材で構成されたパネルシート２をインサート成形している。この操作表示パネル１に表示部３と操作部４を設け、表示部３に対応する位置に液晶パネル５を配し、操作部４に対応する位置に操作ボタン部６を配している。
【０００５】
行程ボタン６ａを押すことで液晶パネル５に表示する洗い、すすぎ、脱水、乾燥の各運転時間や設定条件等を変更することができ、コースボタン６ｂを押すことで液晶パネル５に表示する運転コースを変更することができ、洗濯乾燥切替ボタン６ｃを押すことで洗濯、洗濯〜乾燥、乾燥のみ、ミストの切替をすることができる。
【０００６】
電源を投入する電源入りボタン６ｄ、電源を遮断する電源切りボタン６ｅ、洗濯機の運転を開始させるスタートボタン６ｆが洗濯機本体に設けられている。
【０００７】
操作表示パネル１の操作ボタン部６の対応する位置に設けたボタン式電気スイッチ７と、操作ボタン部６が押されていることを報知するＬＥＤ素子８と、液晶パネル５とを積載した制御装置９を樹脂ケース１０に固定している。
【０００８】
樹脂ケース１０の周囲にはビス穴１１を設け、裏面からビス（図示せず）で操作表示パネル１に固定することで操作表示装置を形成する。
【０００９】
この種の洗濯機は多くの機能を備えているため、例えば、特許文献２のように、使用者の操作性を向上させるために、表示部を備えたタッチパネルによって入力設定を行うような提案がなされている。
【先行技術文献】
【特許文献】
【００１０】
【特許文献１】特開２００８−６６１６３号公報
【特許文献２】特開平９−８４９８９号公報
【発明の概要】
【発明が解決しようとする課題】
【００１１】
しかしながら、前記従来の洗濯機の操作表示装置の構成では、洗濯や乾燥の運転コースを指定するコースボタンを押すごとに設定可能なコースが順番に表示され、必要に応じて何度もコースボタンを押さなければならず、操作回数が増加し、操作が煩雑となっていた。
【００１２】
また、タッチパネルによって入力設定を行うものについても、多機能な洗濯機の場合には、設定を行うタッチボタンが画面上に数多く表示され、使用者がタッチしたいタッチボタンを見つけるのが煩わしかった。また、画面上に表示されるタッチボタンの数を限定して見やすくすることもできるが、多機能な洗濯機の場合には、表示するタッチボタンの数を限定した分、表示画面の数が増加し、使用者がタッチしたいタッチボタンを見つけるまで表示画面のページ送りをしなければならず、操作回数が増え、操作性が良くなかった。
【００１３】
このように、従来の洗濯機の操作表示装置においては、操作性の向上が課題となっていた。
【課題を解決するための手段】
【００１４】
前記従来の課題を解決するために、本発明の洗濯機の操作表示装置は、洗濯条件および設定ボタンを表示する液晶パネルと、前記液晶パネルに重ねて配置し透明電極を裏面に有する透明板とを有し、前記透明板を指で触れることで操作を行うタッチパネル表示部と、前記タッチパネル表示部を制御する制御手段とを備え、前記タッチパネル表示部は、予め設定された洗濯や乾燥の運転シーケンスを指定する複数のコースタッチボタンを有し、前記制御手段は、前記液晶パネルに前記複数のコースタッチボタンの中から抽出されたコースタッチボタンを表示するようにしたものである。
【００１５】
これにより、タッチパネルにより設定の操作が容易になるだけでなく、使用者の好みや使用頻度に応じて、画面上に表示されるタッチボタンの数を絞ることができ、多機能な洗濯機の場合でも、表示画面のページ送りを必要とせず、使用者がタッチしたいタッチボタンを見つけるのが容易になり、操作性が大きく向上する。
【発明の効果】
【００１６】
本発明の洗濯機の操作表示装置は、使用者がタッチしたいタッチボタンを見つけるのが容易になり、操作回数を低減し、操作性が大きく向上する。
【図面の簡単な説明】
【００１７】
【図１】本発明の実施の形態１における洗濯機の縦断面図
【図２】同、洗濯機の全体斜視図
【図３】同、洗濯機の操作表示部の平面図
【図４】（ａ）同、図３におけるＡ−Ａ断面図、（ｂ）同、図３におけるＤ−Ｄ断面図
【図５】同、図３におけるＢ−Ｂ断面図
【図６】同、図３におけるＣ−Ｃ断面図
【図７】（ａ）同、洗濯機の操作表示部の液晶パネルの第１画面を示す図、（ｂ）同、第２画面を示す図、（ｃ）同、第３画面を示す図、（ｄ）同、第４画面を示す図、（ｅ）同、第５画面を示す図、（ｆ）同、第６画面を示す図
【図８】（ａ）同、洗濯機の操作表示部の電源投入後の第１画面の他の例を示す図、（ｂ）同、第１画面の他の例を示す図
【図９】本発明の実施の形態２における洗濯機の操作表示部の電源投入後の第１画面を例示する図
【図１０】従来の洗濯機の操作表示装置の正面図
【図１１】従来の洗濯機の操作表示装置の制御装置の正面図
【発明を実施するための形態】
【００１８】
第１の発明は、洗濯条件および設定ボタンを表示する液晶パネルと、前記液晶パネルに重ねて配置し透明電極を裏面に有する透明板とを有し、前記透明板を指で触れることで操作を行うタッチパネル表示部と、前記タッチパネル表示部を制御する制御手段とを備え、前記タッチパネル表示部は、予め設定された洗濯や乾燥の運転シーケンスを指定する複数のコースタッチボタンを有し、前記制御手段は、前記液晶パネルに前記複数のコースタッチボタンの中から抽出されたコースタッチボタンを表示するようにしたことにより、画面上に表示されるタッチボタンの数を絞ることができ、多機能な洗濯機の場合でも、使用者がタッチしたいタッチボタンを見つけるのが容易になり、操作性が大きく向上する。
【００１９】
第２の発明は、特に、第１の発明の洗濯機の操作表示装置において、指定したコースタッチボタンの運転回数を記憶する記憶手段を備え、前記制御手段は、前記記憶手段に記憶された運転回数に応じて前記液晶パネルに表示するコースタッチボタンを抽出するようにしたことにより、使用頻度に応じて、画面上に表示されるタッチボタンの数を絞ることができ、多機能な洗濯機の場合でも、使用者がタッチしたいタッチボタンを見つけるのが容易になり、操作性が大きく向上する。
【００２０】
第３の発明は、特に、第１の発明の洗濯機の操作表示装置の制御手段は、使用者が、前記液晶パネルに表示するコースタッチボタンを抽出できるようにしたことにより、使用者の好みに応じて、画面上に表示されるタッチボタンの数を絞ることができ、多機能な洗濯機の場合でも、使用者がタッチしたいタッチボタンを見つけるのが容易になり、操作性が大きく向上する。
【００２１】
第４の発明は、特に、第１〜３のいずれかの発明の洗濯機の操作表示装置の制御手段は、前記液晶パネルに前記複数のコースタッチボタンの中から抽出されたコースタッチボタンを３つ表示するようにしたことにより、画面上に表示されるタッチボタンの視認性が非常に優れ、多機能な洗濯機の場合でも、使用者がタッチしたいタッチボタンを見つけるのが容易になり、操作性が大きく向上する。
【００２２】
第５の発明は、特に、第１〜４のいずれかの発明の洗濯機の操作表示装置の制御手段は、洗濯機本体に電源が供給されると、前記液晶パネルに前記複数のコースタッチボタンの中から抽出されたコースタッチボタンを表示するようにしたことにより、電源を投入すると自動的に、使用者の好みや使用頻度に応じて絞り込まれたタッチボタンが画面上に表示されるので、使用者の操作が軽減され、次の操作が迅速に行えるようになり、操作性が大きく向上する。
【００２３】
以下、本発明の実施の形態について、図面を参照しながら説明する。なお、この実施の形態によって本発明が限定されるものではない。
【００２４】
（実施の形態１）
図１は本発明の実施の形態１における洗濯機の縦断面図、図２は本発明の実施の形態１における洗濯機の全体斜視図を示すものである。
【００２５】
図１、図２において、洗濯機の本体１２内に、水槽１３が宙吊り状態に配設され、水槽１３内に有底円筒形に形成された回転ドラム１４がその軸心方向を正面側から背面側に向けて下向きに傾斜させてかつ回転自在に配設されている。
【００２６】
水槽１３の正面側には回転ドラム１４の開口端に通じる衣類出入口１５が形成され、本体１２の前面を構成する前部枠体１６の前部に形成された上向き傾斜面に設けられた投入開口部１７を開閉する扉１８を開くことにより、衣類出入口１５を通じて回転ドラム１４内の洗濯物を出し入れすることができる。
【００２７】
扉１８が上向き傾斜面に設けられているため、洗濯物を出し入れする作業が腰を屈めずに実施でき、水平横向きに設けた開口部から洗濯物を出し入れするドラム式洗濯機に比べて、作業性が良くなっている。
【００２８】
回転ドラム１４の周面に水槽１３内に通じる多数の透孔１９が形成され、水槽１３の背面側に取り付けられたモータ２０によって正転及び逆転方向に回転駆動される。前記水槽１３には、注水管路２１及び排水管路２２が配管接続され、注水弁２３および排水弁２４の制御によって水槽１３内への注水及び排水がなされる。
【００２９】
前部枠体１６の上部には操作表示パネル２５が配置され、その下部には洗剤投入ケース２６が前方に引き出し可能となるように前部枠体１６に配置されている。使用者は運転に先立ち洗剤を洗剤投入ケース２６に入れ、必要に応じて操作表示パネル２５を操作することにより、希望する運転内容を設定したり、運転スタート、一時停止を行い、運転の進行状態を認識することができる。
【００３０】
扉１８を開いて回転ドラム１４内に洗濯物を投入して運転を開始すると、注水弁２３が開き、洗剤投入ケース２６内に水が注水され、その中に投入されていた洗剤を水で流しながら、注水管路２１を介して水槽１３内に所定量の注水がなされる。
【００３１】
所定水位に到達すると、モータ２０により回転ドラム１４が回転駆動されて洗濯行程が開始される。洗濯行程の洗濯物は、回転ドラム１４の回転により回転方向に持ち上げられ落下する撹拌動作が繰り返され洗濯がなされる。
【００３２】
所要の洗濯時間の後、排水弁２４が開き、汚れた洗濯液は排水管路２２から排出され、回転ドラム１４を高速回転させる脱水動作により、洗濯物に含まれた洗濯液を脱水する。
【００３３】
その後、排水弁２４が閉じられ、水槽１３内に注水管路２１から注水を行い、すすぎ行程が実施される。このすすぎ行程においても、洗濯物には回転ドラム１４の回転により撹拌動作が繰り返されてすすぎ洗いが実施される。
【００３４】
図３は本発明の実施の形態１における洗濯機の操作表示部の平面図、図４（ａ）は図３におけるＡ−Ａ断面図、図４（ｂ）は図３におけるＤ−Ｄ断面図、図５は図３におけるＢ−Ｂ断面図、図６は図３におけるＣ−Ｃ断面図示すものである。
【００３５】
図３、図４、図５、図６において、操作表示パネル２５は、前部枠体１６の上方と天板２７との間に配置されている。透明樹脂部２８の表面は、透明樹脂部２８にインサート成形されたＰＥＴフィルムからなるパネルシート２９で覆われている。パネルシート２９は、着色、印刷が施された化粧面を成し、透明樹脂部２８およびパネルシート２９には、その中央に略矩形形状を成す開口部３０が設けられている。
【００３６】
この開口部３０は透明樹脂もフィルムも無い領域であり、その裏面には透明ガラスからなる透明板３１が弾性体３２を介して操作表示パネル２５に取付けられており、弾性体３２は透明板３１の外周部を挟持し、透明樹脂部２８における開口部３０の周囲と透明板３１との間で、弾性体３２を押圧しながら固定している。
【００３７】
この透明板３１の裏面には、透明電極３３をＯＣＡと呼ばれる透明両面テープ３７で接着することで、タッチパネル表示部３８を形成する。従って、タッチパネル表示部３８は透明で透光性を有する。
【００３８】
また、タッチパネル表示部３８の裏面下側には、液晶パネル３４が液晶取付台３５に取付けられており、さらに、この液晶取付台３５の液晶パネル３４取付面と反対側には、透明電極３３や液晶パネル３４を制御するメイン制御基板３６が取付けられる。
【００３９】
このように、透明板３１、透明両面テープ３７、透明電極３３、液晶パネル３４、メイン制御基板３６の順で積み重ねられており、操作表示パネル２５の表側からは、タッチパネル表示部３８を形成する透明板３１、透明両面テープ３７、透明電極３３を介して、液晶パネル３４に表示される絵柄や文字を視認することができる。なお、液晶パネル３４の裏面側すなわちタッチパネル表示部３８と反対側に、面状に構成された照明装置を配置し、液晶パネル３４に照射することで、液晶パネル３４に表示される絵柄や文字の視認性を一層高めることもできる。
【００４０】
メイン制御基板３６には、タッチパネル表示部３８へ信号を入出力することで人がタッチ操作したかどうかを判定し、マイコン３９に判定信号を伝達させるタッチパネル専用ＩＣ４０及び使用回数、コースの設定などをメモリすることができるメモリＩＣなどを実装している。
【００４１】
透明板３１の裏側には、液晶パネル３４やメイン制御基板３６などの電装部品があり防水が必要となる。そこで略矩形形状の透明板３１の外周部を枠形状の弾性体３２で覆い、この弾性体３２を介して略矩形形状の開口部３０の裏面に取り付けている。
【００４２】
開口部３０の上辺４１および下辺４２の周囲において、透明板３１の表面側、裏面側、端面側の３方向を弾性体３２で挟持し、この透明板３１を挟持した弾性体３２を、操作表示パネル２５と液晶取付台３５との間に圧接することで、防水性を確保する。
【００４３】
また、開口部３０の左辺４３および右辺４４の周囲において、透明板３１の裏面側、端面側の２方向を弾性体３２に当接させ、この弾性体３２と透明板３１とを、操作表示パネル２５と液晶取付台３５との間に圧接することで、防水性を確保する。
【００４４】
なお、ここでは、開口部３０の左辺４３および右辺４４の周囲における防水構造と、開口部３０の上辺４１および下辺４２の周囲における防水構造とは異なる構成を例示したが、開口部３０の左辺４３および右辺４４の周囲における防水構造を、開口部３０の上辺４１および下辺４２の周囲における防水構造と同様の構成にしても良好な効果が得られる。
【００４５】
操作表示パネル２５の裏面において、開口部３０の４隅にはボス４５を設け、液晶取付台３５、および裏面カバー４６がビス４７で締結される。裏面カバー４６は、メイン制御基板３６を裏面から覆う樹脂部材から成っているものである。
【００４６】
ビス締結状態では、弾性体３２が液晶取付台３５に押圧され、弾性体３２が透明板３１および操作表示パネル２５と密着するので、開口部３０周囲の防水性が確保される。よって使用者が誤って開口部３０に水や液体洗剤をこぼしたりしても、内部にある液晶パネル３４やメイン制御基板３６といった電装部品に水が付着することが無く、部品の信頼性が確保され、故障や誤動作などが防止される。
【００４７】
また、透明板３１は、弾性体３２を介して開口部３０の裏面に取り付けられるので、外部から加わる衝撃を緩和し、衝撃によってガラスが破損することを防止できる。透明板３１には、例えば使用者が何かを落とした時や、製品が包装状態で使用者宅に届けられる物流の途中で、積荷状態から落下したり転倒したりされた時に衝撃力が加わる。その際、透明板３１の外周に弾性体３２を配置させることで衝撃を緩和する構造となり、外部から衝撃が加わっても破損を防止することができる。
【００４８】
操作表示パネル２５には、タッチパネル表示部３８から、分離、独立させたスタートボタン５４、電源入りボタン５２、電源切りボタン５３、戻るボタン５５を設けている。
【００４９】
スタートボタン５４は、洗濯機の運転コース等の各種設定を終えた後、使用者が洗濯機の動作の開始を指示するものである。電源入りボタン５２および電源切りボタン５３は、使用者が洗濯機の電源を入り切りするものである。戻るボタン５５は、使用者がタッチパネル表示部３８にて操作する際に、ひとつ手前の表示画面に戻す指示をするためのものである。
【００５０】
スタートボタン５４、電源入りボタン５２、電源切りボタン５３、戻るボタン５５は、それぞれタッチパネル表示部３８から分離、独立し、操作表示パネル２５内に設けられている。
【００５１】
スタートボタン５４、電源入りボタン５２、電源切りボタン５３、戻るボタン５５といった押圧操作ボタン部は、それぞれ同様に構成されている。スイッチ４９を積載したサブ制御基板５０が裏面カバー４６に固定されることにより操作表示パネル２５の内部に設けられ、また、スイッチ４９を押圧操作する操作部材５１が、操作表示パネル２５外部から押圧できるように操作表示パネル２５にはボタン開口部８０が設けられ、ボタン開口部８０は、操作表示パネル２５の表面に一体形成したパネルシート２９により塞がれている。これにより、ボタン開口部８０から水が内部に侵入するのを防止する。
【００５２】
このように、操作部材５１は操作表示パネル２５と裏面カバー４６の間に保持されるように設けられており、押圧操作ボタン部４８には透明樹脂部２８が無く、パネルシート２９のみが存在し、使用者はパネルシート２９を押圧することでパネルシート２９を変形させ、操作部材５１を介してスイッチ４９を押圧する。
【００５３】
これにより、使用者は、軽い操作力でスイッチ４９を操作でき、押圧操作するとスイッチ４９の入力信号がサブ制御基板５０からメイン制御基板３６のマイコン３９へ伝達される。
【００５４】
また、パネルシート２９により、押圧操作ボタン部４８から操作表示パネル２５内部への水の侵入は防止され、防水性が確保される。すなわち、タッチパネル表示部３８から、分離、独立させたスタートボタン５４、電源入りボタン５２、電源切りボタン５３、戻るボタン５５は、それぞれ防水性が確保される。
【００５５】
図７（ａ）〜（ｆ）は、本発明の実施の形態１における洗濯機の操作表示部の液晶パネルに表示される表示内容を例示する図である。
【００５６】
図３、図７を用いて簡単に洗濯機の運転動作を説明する。
【００５７】
図７（ａ）〜（ｆ）は液晶パネル３４に表示される表示内容を、透明電極３３及び透明両面テープ３７及び透明板３１をそれぞれ透過して視認できる画面を示しており、使用者は透明板３１の上を指でタッチ操作することで画面の切替や設定内容の変更等を行なう。このように、液晶パネル３４にはタッチ式の設定ボタンが表示される。
【００５８】
使用者はまず、操作表示パネル２５にある電源入りボタン５２を押すことで、洗濯機本体に電源を供給すると、液晶パネル３４が点灯し、図７（ａ）が表示される。
【００５９】
図７（ａ）は電源投入後の第１画面であり、その画面上には洗濯乾燥の切替を行なう洗濯タッチボタン５６ａ、洗濯〜乾燥タッチボタン５６ｂ、乾燥タッチボタン５６ｃが洗濯乾燥モードを選択する設定ボタンとして配置されている。
【００６０】
また、それぞれの洗濯乾燥モードにおけるコースで、特に使用者が良く使用すると考えられるおまかせタッチボタン５７ａを画面略中央に、わたし流タッチボタン５７ｂを画面略左側に、それ以外のコースをまとめた他コースタッチボタン５７ｃを画面略右側に、合計３個のタッチボタンを配置している。
【００６１】
ここで、図７（ａ）の第１画面の例示において、おまかせタッチボタン５７ａは、洗濯機が布量や汚れ具合を自動判別して洗い時間やすすぎ回数、脱水時間を決定する運転シーケンスが予め設定されたコースタッチボタンである。わたし流タッチボタン５７ｂは、使用者が好みに応じて洗い時間やすすぎ回数、脱水時間を決定する運転シーケンスが予め設定されたコースタッチボタンである。
【００６２】
また、図７（ａ）の第１画面の例示において、洗濯〜乾燥タッチボタン５６ｂが選択された状態であれば、おまかせタッチボタン５７ａは、洗濯機が布量や汚れ具合を自動判別して洗い時間やすすぎ回数、脱水時間、乾燥時間を決定する運転シーケンスが予め設定されたコースタッチボタンである。わたし流タッチボタン５７ｂは、使用者が好みに応じて洗い時間やすすぎ回数、脱水時間、乾燥時間を決定する運転シーケンスが予め設定されたコースタッチボタンである。
【００６３】
また、図７（ａ）の第１画面の例示において、乾燥タッチボタン５６ｃが選択された状態であれば、おまかせタッチボタン５７ａは、洗濯機が布量を自動判別して乾燥時間を決定する運転シーケンスが予め設定されたコースタッチボタンである。わたし流タッチボタン５７ｂは、使用者が好みに応じて乾燥時間を決定する運転シーケンスが予め設定されたコースタッチボタンである。
【００６４】
他コースタッチボタン５７ｃを押した場合には、後述する他の運転シーケンスが予め設定されたコースタッチボタンが画面上に表示される。
【００６５】
画面上に表示されるコースタッチボタンは、第１画面の例示のように、おまかせタッチボタン５７ａ、わたし流タッチボタン５７ｂ、他コースタッチボタン５７ｃの３つが表示されている。ただし、表示される３つのコースタッチボタンは図７（ａ）に例示した３種類のコースタッチボタンとは限らず、後述する他の運転シーケンスが予め設定されたコースタッチボタンを表示することもできる。
【００６６】
また、画面下には使用者にとって有益な情報となりうる内容をまとめたメニュータッチボタン５８を設定ボタンとして配置する。
【００６７】
図７（ａ）において、使用者は洗濯乾燥モードを選択したのち、コースを設定する。本実施例では洗濯タッチボタン５６ａをタッチ操作した後、おまかせタッチボタン５７ａをタッチ操作したことで、図７（ｂ）の表示に切り替わる操作例で説明する。
【００６８】
図７（ｂ）は、図７（ａ）においておまかせタッチボタン５７ａをタッチ操作した際に画面遷移する第２画面であり、画面上下方向における略中央には、各工程時間を示すタッチボタンが設定ボタンとして配置され、画面左側から順に、洗い時間を示す洗いタッチボタン５９ａ、すすぎ回数を示すすすぎタッチボタン５９ｂ、脱水時間を示す脱水タッチボタン５９ｃを配置する。
【００６９】
また、画面下には運転におけるその他の詳細設定内容を示すタッチボタンが配置され、水位の設定方法を示す水位タッチボタン６０ａ、風呂水を使用するかどうかの風呂水タッチボタン６０ｂ、予約運転を行うかどうかの予約タッチボタン６０ｃが設定ボタンとして配置される。
【００７０】
本実施例では使用者が洗いの時間を変更するという想定で、洗いタッチボタン５９ａをタッチ操作することで図７（ｃ）に切り替わる操作例で説明する。
【００７１】
図７（ｃ）は、図７（ｂ）において洗いタッチボタン５９ａをタッチ操作した際に画面遷移する第３画面であり、その画面略中央に洗い時間を変更する洗いスライドボタン６１を設定ボタンとして配置し、画面下には変更した時間の決定を指示する決定タッチボタン６２を配置する。
【００７２】
使用者は、洗いスライドボタン６１を左右方向に動かすことで洗い時間を変更し、決定タッチボタン６２を押すことで変更した洗い時間を確定させる。決定タッチボタン６２を押すと、再び図７（ｂ）の第２画面に画面遷移する。ただし、図７（ｂ）における第２画面では、洗いタッチボタン５９ａの洗い時間の表示内容が、変更した内容に表示される。
【００７３】
図７（ｄ）は、図７（ａ）の他コースタッチボタン５７ｃをタッチ操作した際に画面遷移する第４画面であり、画面には第１画面に表示された、わたし流、おまかせ以外のコースとして使用可能な、ナイトタッチボタン６３ａ、おうちクリーニングタッチボタン６３ｂ、高洗浄消臭タッチボタン６３ｃ、毛布タッチボタン６３ｄ、念入り仕上げタッチボタン６３ｅ、槽洗浄タッチボタン６３ｆを設定ボタンとして配置する。使用者は、各タッチボタンを押すことでコースの選択を行い、また各タッチボタンを押すことで、再び図７（ｂ）の第２画面に画面遷移する。
【００７４】
図７（ｅ）は、図７（ａ）におけるメニュータッチボタン５８をタッチ操作した際に画面遷移する第５画面である。図７（ｅ）に示すように、画面には、取扱説明書の内容を一部抜粋して使用者に使い方を説明するタッチボタンが設けられ、操作の方法を説明する操作簡単ガイドタッチボタン６４ａ、コースの説明を行うコース説明タッチボタン６４ｂ、洗濯機のメンテナンスの方法を説明するお手入れの仕方タッチボタン６４ｃが設定ボタンとして配置される。また、一度設定すると基本変更しないような設定内容をまとめた設定変更タッチボタン６４ｄを配置する。
【００７５】
ここで、操作表示パネル２５にある戻るボタン５５を押すことで、現在表示されている画面から一つ前の操作画面に表示画面を戻すことができる。
【００７６】
図７（ａ）〜図７（ｅ）に示す第１画面〜第５画面において、運転内容の設定が終了したとき、使用者は操作表示パネル２５に設けたスタートボタン５４を押すことで運転を開始する。このとき、図７（ｆ）に示す、運転状況を表示する運転表示画面である第６画面に画面遷移する。
【００７７】
なお、運転途中に運転を一時停止したいときはスタートボタン５４を押し、再開させたいときは再びスタートボタン５４を押すことで、運転の一時停止と再開ができる。
【００７８】
図８（ａ）は、図７（ａ）に例示した第１画面において、表示される３つのコースタッチボタンを変更した場合における第１画面の表示例を示し、図７（ａ）と同様に、洗濯機本体の電源を投入した時に表示される最初の設定画面である。
【００７９】
図８（ａ）には、念入り仕上げタッチボタン５７ｄ、ナイトタッチボタン５７ｅが表示されている。念入り仕上げタッチボタン５７ｄは「念入り仕上げコース」を意味し、使用者がしっかりと洗いたい時に選択する運転コースで、洗い時間の長期化、撹拌運転の変更など、洗浄力を高めるように洗い時間、撹拌運転を決定する運転シーケンスが予め設定されたコースタッチボタンである。
【００８０】
ナイトタッチボタン５７ｅは「ナイトコース」を意味し、騒音を抑制するように、洗い時間やすすぎ回数、脱水時間を決定する運転シーケンスが予め設定されたコースタッチボタンである。
【００８１】
念入り仕上げタッチボタン５７ｄ、ナイトタッチボタン５７ｅは、図７（ａ）にて他コースタッチボタン５７ｃを押すことで、画面上に表示することができるようになる。これらの他に、デリケートな衣類を洗うのに適した運転シーケンスが予め設定された「おうちクリーニングコース」を指定するためのコースタッチボタン、毛布のような大きな布を洗うのに適した運転シーケンスが予め設定されたコースタッチボタンなどの運転コースがあり、他コースタッチボタン５７ｃを押すことで、画面上に表示することができる。
【００８２】
図８（ａ）の例示では、使用者は、夜に洗濯をする頻度が多いため、音を抑えて運転したいため「ナイトコース」を第１画面に設定し、しっかり洗いたい時もあるため「念入り仕上げコース」も第１画面に設定している。
【００８３】
このように、数多く設けられた運転シーケンスの中から、好みにあった運転シーケンスが簡単に設定できるように、画面上に表示するコースタッチボタンを使用者が抽出できるようになっている。
【００８４】
また、図８（ｂ）に例示するように、洗濯〜乾燥タッチボタン５６ｂにより、電源投入後の第１画面を洗濯乾燥モードに設定して表示させることもできる。同様に、図示しないが、乾燥タッチボタン５６ｃにより、電源投入後の第１画面を乾燥モードに設定して表示させることもできる。
【００８５】
また、図７（ａ）、図８（ａ）、図８（ｂ）の例示によれば、画面上に表示されるコースタッチボタンは３個であるが、使用者の好みに応じて、表示されるコースタッチボタンをさらに絞り込み、表示されるコースタッチボタンを２個や１個に設定することもできる。
【００８６】
ただし、経験によれば、表示されるコースタッチボタンは、通常、３個程度に設定しておくことで、使用者に複数の運転コースを使い分ける上で不都合を感じさせることなく、表示されたコースタッチボタンを的確に視認でき、操作がしやすくなるものである。
【００８７】
このように電源投入後の第１画面を使用者が設定できるようにすることで、使用者が使用しやすいようにコースタッチボタンを表示し、洗濯機が多機能であって、様々な運転コースがあっても、少ない操作回数で運転を開始することができ、操作性を大きく向上させることができる。
【００８８】
（実施の形態２）
メイン制御基板３６は、タッチパネル表示部３８を制御する制御手段として設けられ、指定したコースタッチボタンの運転回数を記憶する記憶手段（図示せず）を有している。記憶手段は、メモリＩＣなどから構成される。
【００８９】
メイン制御基板３６は、記憶手段に記憶された運転回数を読み出し、使用頻度が高い運転コースを抽出することができる。メイン制御基板３６は、使用者が予め設定された運転シーケンスを指定するために設けたコースタッチボタンのうち、運転回数が多いコースタッチボタンを抽出し、電源投入後の第１画面に表示する。例えば、運転回数が多い上位２つの運転コースのコースタッチボタンを、他コースタッチボタン５７ｃと並列に液晶パネル３４に表示する。
【００９０】
図９は、電源投入後の第１画面を例示したもので、制御手段により、運転回数が１番多い運転コースのコースタッチボタンを、第１画面の中央にコースタッチボタン６６として表示する。第１画面の中央は、使用者が最も視認しやすい場所であり、使用者の迅速な操作を促す。
【００９１】
制御手段により、運転回数が２番目に多い運転コースのコースタッチボタンは、第１画面の左右いずれかに表示される。図９に例示したように、運転回数が２番目に多いコースタッチボタンを、第１画面の左側にコースタッチボタン６６として表示する。
【００９２】
また、使用者は、画面上に表示されるコースタッチボタンの数を変更できる。図９の例示によれば、画面上に表示されるコースタッチボタンは３個であるが、使用者の好みに応じて、表示されるコースタッチボタンを２個や１個に設定することもできる。これにより、使用者はさらに迅速な操作を行うことができる。
【００９３】
ただし、経験によれば、表示されるコースタッチボタンは、通常、３個程度に設定しておくことで、使用者に複数の運転コースを使い分ける上で不都合を感じさせることなく、表示されたコースタッチボタンを的確に視認でき、操作がしやすくなるものである。
【００９４】
このように、電源投入後の第１画面に表示されるコースタッチボタンを抽出して表示することで、使用者が選択したい運転コースのコースタッチボタンを画面上に表示させるために何度も操作する必要がなくなる。使用者の使用頻度が高い運転コースを制御手段が抽出して表示を行い、第１画面の操作が容易に行えるよう配置することができる。従って、洗濯機が多機能で、様々な運転コースがある場合にも、少ない操作回数で運転を開始することができ、操作性が大きく向上するものである。
【産業上の利用可能性】
【００９５】
以上のように、本発明にかかる洗濯機の操作表示装置は、使用者がタッチしたいタッチボタンを見つけるのが容易になり、操作回数を低減し、操作性が大きく向上するので、タッチパネルを有する他の家庭用電気機器にも適用できる。
【符号の説明】
【００９６】
３１  透明板
３３  透明電極
３４  液晶パネル
３６  メイン制御基板（制御手段）
３８  タッチパネル表示部
５７ａ〜５７ｅ、６５、６６  コースタッチボタン
【図１】
2014033764.tif 000003
【図２】
2014033764.tif 000004
【図３】
2014033764.tif 000005
【図４】
2014033764.tif 000006
【図５】
2014033764.tif 000007
【図６】
2014033764.tif 000008
【図７】
2014033764.tif 000009
【図８】
2014033764.tif 000010
【図９】
2014033764.tif 000011
【図１０】
2014033764.tif 000012
【図１１】
2014033764.tif 000013